(57)【要約】【課題】整地体を土寄せ作業時の固定保持、及び代かき整地作業時の固定解除に切り替え操作するモータユニットを簡単に着脱できる代かき装置を提供する。【解決手段】正逆転するモータと、このモータに噛合し回動運動する扇状歯車と、この扇状歯車の回動範囲を制御するリミットスイッチと、モータを遠隔操作するコントロールボックスで構成されるモータユニットが、整地体操作手段に設けられる係合体を直接駆動するよう着脱自在に配置でき、モータを正逆転させることにより扇状歯車と連動して係合体が回動し、整地体支持手段に設けられた被係合体と係着し、整地体を土寄せ作業時の固定保持及び代かき整地作業時の固定解除に切り替え操作できる代かき装置を提供することができる。【選択図】　図３
2004089165.tif 000002
【特許請求の範囲】
【請求項１】
機枠と、機枠に回転自在に設けた砕土ロータリと、砕土ロータリの上方部を覆うカバー体と、カバー体の後方に上下回動自在に設けた整地体と、整地体を土寄せ作業時の固定保持と代かき整地作業時の固定解除を切り替え可能とするための係合体を有する整地体操作手段と、機枠から後方に向けて上下回動自在にした第１支持アームの先端部と整地体より上方に向け回動自在にした第２支持アームの先端部を回動自在に連結し、この第１支持アームには前記整地体操作手段に設けられた係合体に係合する被係合体を有してなる整地体支持手段とで構成される代かき装置において、
整地体操作手段に設けられた係合体をモータユニットにより直接駆動するとともに、このモータユニットを着脱可能に配置できるようにしたことを特徴とした代かき装置。
【請求項２】
機枠と、機枠に回転自在に設けた砕土ロータリと、砕土ロータリの上方部を覆うカバー体と、カバー体の後方に上下回動自在に設けた整地体と、整地体を土寄せ作業時の固定保持と代かき整地作業時の固定解除を切り替え可能とするための係合体を有する整地体操作手段と、機枠から後方に向けて上下回動自在にした第１支持アームの先端部と整地体より上方に向け回動自在にした第２支持アームの先端部を回動自在に連結し、この第１支持アームには前記整地体操作手段に設けられた係合体に係合する被係合体を有してなる整地体支持手段とで構成される代かき装置において、
整地体操作手段を作動させるモータユニットを設け、モータユニットは正逆転するモータと扇状歯車が噛合するようそれぞれ設けられ、扇状歯車の回動支点を整地体操作手段に設けた係合体の回動支点と同軸上に配置し、扇状歯車の往復回動運動を整地体操作手段に設けた係合体に伝達し、第１支持アームに設けられた被係合体と係脱可能に構成したことを特徴とする代かき装置。
【発明の詳細な説明】
【０００１】
【産業上の利用分野】
本発明は代かき装置に係り、代かき整地作業及び土寄せ作業時の整地体の固定保持及び固定解除手段に関する。
【０００２】
【従来の技術】
従来、土寄せ作業時の整地体の固定保持と代かき整地作業時の整地体の固定解除の切り替えを手動操作レバーで行う構成は、様々な文献により知られている。また、整地体の固定保持及び固定解除の切り替え操作を正逆転モータの駆動力を用いて行なう構成が特許第３００９８０７号により知られ、この構成によれば、正逆転モータを備えた整地体操作手段がトラクタ装着マストに設けたブラケットに組付けられ、正逆転モータの制御を遠隔操作するコントロールボックスが設けられている。
【０００３】
【発明が解決しようとする課題】
従来例のように、トラクタ装着マストに正逆転モータを備えた整地体操作手段を組付ける構成では、ユーザーがトラクタ更新した場合にトラクタ装着マストを変更しなければ、トラクタに装着することのできない場合が生ずることもある。この場合、トラクタ装着マストを交換しなくてはならないが、旧トラクタ装着マストに組付けられた整地体操作手段を取り外さなければならない。
また、整地体操作手段はユニット化されておらず、構成部品を１点ずつ外し、新トラクタ装着マストに組付けなければならないため、トラクタ装着マスト組替え作業に多くの時間を費やすことになる。
また、手動操作レバーにて整地体の固定保持及び固定解除を行なう構成での機種に、正逆転モータを備えた整地体操作手段を組付ける場合も、トラクタ装着マストを交換し組付けなければならないため、これもまた組付け作業に多くの時間を費やすこととなる。
そこで、本発明は上記課題を解決するものであり、正逆転モータを備えた整地体操作手段をユニット化しモータユニットとして機枠に取り付け可能とすることにより構造が簡単で、取り付け作業が簡単に短時間で行うことができる代かき装置を提供することを目的とするものである。また、整地体操作手段をユニット化することにより、手動操作レバーで整地体の切り替えを行なう機種にも後付けで取り付け可能となるため、ユーザーニーズに対応できる代かき装置を提供することを目的とするものである。
【０００４】
【課題を解決するための手段】
前記問題を解決するために、機枠と、機枠に回転自在に設けた砕土ロータリと、砕土ロータリの上方部を覆うカバー体と、カバー体の後方に上下回動自在に設けた整地体と、整地体を土寄せ作業時の固定保持と代かき整地作業時の固定解除を切り替え可能とするための係合体を有する整地体操作手段と、機枠から後方に向けて上下回動自在にした第１支持アームの先端部と整地体より上方に向け回動自在にした第２支持アームの先端部を回動自在に連結し、この第１支持アームには前記整地体操作手段に設けられた係合体に係合する被係合体を有してなる整地体支持手段とで構成される代かき装置において、整地体操作手段に設けられた係合体をモータユニットにより直接駆動するとともに、このモータユニットを着脱可能に配置できるようにし、また、機枠と、機枠に回転自在に設けた砕土ロータリと、砕土ロータリの上方部を覆うカバー体と、カバー体の後方に上下回動自在に設けた整地体と、整地体を土寄せ作業時の固定保持と代かき整地作業時の固定解除を切り替え可能とするための係合体を有する整地体操作手段と、機枠から後方に向けて上下回動自在にした第１支持アームの先端部と整地体より上方に向け回動自在にした第２支持アームの先端部を回動自在に連結し、この第１支持アームには前記整地体操作手段に設けられた係合体に係合する被係合体を有してなる整地体支持手段とで構成される代かき装置において、整地体操作手段を作動させるモータユニットを設け、モータユニットは正逆転するモータと扇状歯車が噛合するようそれぞれ設けられ、扇状歯車の回動支点を整地体操作手段に設けた係合体の回動支点と同軸上に配置し、扇状歯車の往復回動運動を整地体操作手段に設けた係合体に伝達し、第１支持アームに設けられた被係合体と係脱可能に構成した代かき装置を提供するものである。
【０００５】
【実施例】
本発明を実施した図面に基づいて構成を説明する。
図１は本発明を実施した代かき装置の後方斜視図で一部を切欠した図で、図２は整地体操作手段の要部を示す斜視図である。図３はモータユニットを示す外観斜視図である。図４は代かき整地作業状態を示す側面図であり、図５は土寄せ作業状態を示す側面図である。
【０００６】
図１において１は機枠で、トラクタに装着するための装着マスト１１と前方に突設する入力軸１２が設けられ、トラクタＰＴＯ軸よりユニバーサルジョイントを介して動力伝達される。伝達された動力はチェーンケース１３を介し、機枠１に回転自在に設けられた砕土ロータリ１４を回転駆動する。砕土ロータリ１４はロータリ軸１４１上に複数列設けた砕土爪１４２により構成されている。
【０００７】
そして、砕土ロータリ１４の上方を覆うようにカバー体１５が機枠１に固定され、カバー体１５の後方には上下回動自在にした整地体１６が設けられる。整地体１６はカバー体１５の直後に両端軸支した第１整地体１６１と、第１整地体１６１の直後に両端を軸支した第２整地体１６２とにより構成され、それぞれ上下回動自在に列設されている。
【０００８】
１７は整地体支持手段で、機枠１の略中央部より後方に向け始端部を回動自在に軸支した第１支持アーム１７１と、第２整地体１６２の略中央部上面より上方に向け始端部を回動自在に軸支した第２支持アーム１７２のそれぞれ終端部を回動自在に軸支し、構成される。
【０００９】
１８は整地体操作手段で、操作レバー１８１をａ方向に回動させることにより整地体１６の固定保持を解除し代かき整地作業が行なえ、ｂ方向に回動させることにより整地体１６を固定保持し、土寄せ作業が行なえるよう構成されている。２はモータユニットである。
【００１０】
図２は整地体操作手段の要部を示す要部斜視図であり、１８の整地体操作手段は前記したように整地体１６の固定保持と固定解除の切替え操作するものであり、操作レバー１８１は装着マスト１１の内部に回動自在に設けられ、機枠１に回動自在とし、支点ピン１８４に軸支されたロックブラケット１８３と操作ロット１８２を介して連結することにより、操作レバー１８１を回動操作することによりロックブラケット１８３が回動するよう構成されている。
【００１１】
ロックブラケット１８３は、ロックピン１８５を備えて係合体を形成してあり、前記第１支持アーム１７１に形成されたＵ字状の切欠きを有する被係合体であるロックプレート１７３にロックピン１８５が係脱することにより、整地体１６の固定保持と固定解除の操作が可能となっている。
【００１２】
図３はモータユニットの外観斜視図で、モータユニット２はベース２１上にギヤＧを備えた正逆転するモータＭと扇状歯車２２とが噛合するよう配置され、ベース２１に設けられた支点ピン２１１に回動自在に取付けられ、モータＭを遠隔操作するコントロールボックスＳＷがモータＭを正逆転させることにより扇状歯車２２を往復回動させ、扇状歯車２２の回動範囲を制御するためのリミットスイッチＬＳを備え構成され、モータカバー２３に覆われてある。又、扇状歯車２２の回動支点上方には係着孔２４が形成されている。
【００１３】
上記モータユニット２は、前記ロックブラケット１８３の回動支点とモータユニット２内に設けた扇状歯車２２の回動支点とが同軸上に配置されるよう機枠１に設けたモータユニット取付ブラケット１９に着脱可能とするとともに、扇状歯車２２に設けられた係着孔２４にロックブラケット１８３に備えられた係着ピン１８６が係着される。
【００１４】
モータユニット２に設けられた扇状歯車２２の係着孔２４とロックブラケット１８３に設けられた係着ピン１８６が係着されることにより、操作レバー１８１を操作しなくてもコントロールボックスＳＷのスイッチを操作し、モータＭを正逆転させることにより扇状歯車２２と連動してロックブラケット１８３が回動し、整地体の固定保持と固定解除の切り替えを遠隔操作することができる。
【００１５】
図４は代かき整地作業状態を示す側面図であり、コントロールボックスＳＷにより「代かき整地作業」を選択操作した場合に、モータユニット２内に備えたモータＭが図３に示すようにＣＷ方向に回転し扇状歯車２２が回動するとともに、これと連動して係着孔２４に係着した係着ピン１８６をａ′方向に押し、ロックブラケット１８３を回動させる。ロックブラケット１８３が回動することにより第１支持アーム１７１に設けたロックプレート１７３とロックブラケット１８３に設けたロックピン１８５の係合が離脱し、リミットスイッチＳＷが作動する位置まで回動し停止する。この時、手動時の操作レバー１８１もａ方向へ移動するため、トラクタに乗ったままでも現作業状態が代かき整地作業状態であることが一目で分かる。
【００１６】
図５は土寄せ作業時状態を示す側面図であり、コントロールボックスＳＷにより「土寄せ作業」を選択操作した場合に、モータユニット２内に備えたモータＭが図３に示すようにＣＣＷ方向に回転し扇状歯車２２が回動するとともに、これと連動して係着孔２４に係着した係着ピン１８６をｂ′方向に押し、ロックブラケット１８３を回動させる。ロックブラケット１８３が回動することにより、第１支持アーム１７１に設けたロックプレート１７３とロックブラケット１８３に設けたロックピン１８５が係合し、リミットスイッチＬＳが作動する位置まで回動し停止する。この時、手動時の操作レバー１８１もｂ方向へ移動するため、トラクタに乗ったまま現地作業状態が土寄せ作業状態であることが一目で分かる。
【００１７】
【効果】
以上のように本発明における代かき装置は、整地体操作手段に対しモータユニットを着脱可能に配置できるよう構成したことにより、取付け作業が簡単で短時間で行なうことができる。
又、手動操作レバーにより整地体の固定保持と固定解除を行なう機種に対して後付けで取付け可能となるため、手動操作レバー仕様のユーザーが遠隔操作仕様を希望した場合、正逆転モータを備えたモータユニットを取付けるだけなので迅速に対応ができる。
又、モータユニットを取り付けるだけなので、取り外す部品が無く、簡単な構成になるメリットもある。
【図面の簡単な説明】
【図１】後方斜視図で一部を切欠した図
【図２】整地体操作手段の要部斜視図
【図３】モータユニットの外観斜視図
【図４】代かき整地作業状態を示す側面図
【図５】土寄せ作業状態を示す側面図
【符号の説明】
１　　　機枠
１１　　装着マスト
１２　　入力軸
１３　　チェーンケース
１４　　砕土ロータリ
１４１　ロータリ軸
１４２　砕土爪
１５　　カバー体
１６　　整地体
１６１　第１整地体
１６２　第２整地体
１７　　整地体支持手段
１７１　第１支持アーム
１７２　第２支持アーム
１７３　ロックプレート
１８　　整地体操作手段
１８１　操作レバー
１８２　操作ロット
１８３　ロックブラケット
１８４　支点ピン
１８５　ロックピン
１８６　係着ピン
１９　　モータユニット取付ブラケット
２　　　モータユニット
２１　　ベース
２１１　支点ピン
２２　　扇状歯車
２３　　モータカバー
２４　　係着孔
Ｇ　　　ギヤ
Ｍ　　　モータ
ＳＷ　　コントロールボックス
ＣＷ，ＣＣＷ　　回転方向
ａ，ｂ，ａ′，ｂ′　　回動方向
【図１】
2004089165.tif 000003
【図２】
2004089165.tif 000004
【図３】
2004089165.tif 000005
【図４】
2004089165.tif 000006
【図５】
2004089165.tif 000007